(57)【要約】【課題】  シート状基材を剥離可能な形態で貼り付けた構成の剥離性シートにおいて、剥がした後のシート状基材に残るカールを小さくする。【解決手段】  基材片１１ａ、１１ｂを剥離可能に貼り付けた剥離性シート１１において、基材片の抄紙方向が剥離方向となるように、基材片１１ａ、１１ｂを配置し且つその基材片１１ａ、１１ｂをその基材の抄紙方向に沿って剥がすように誘導する切欠き１３、矢印１４、説明文１５などを設けておく。【選択図】  図１
2005169790.tif 000002
【特許請求の範囲】
【請求項１】
２片以上のシート状基材を、少なくとも一部領域が剥離可能となるように積層してなる剥離性シートにおいて、前記基材の剥離可能な領域を、その基材の抄紙方向に沿って剥がすように誘導する手段を設けていることを特徴とする剥離性シート。
【請求項２】
前記誘導する手段が、前記剥離可能な領域の端部に形成した剥離のきっかけであることを特徴とする請求項１記載の剥離性シート。
【請求項３】
前記誘導する手段が、前記基材を抄紙方向に剥がすように誘導する誘導文、あるいは矢印に類する記号、剥離方法を示す図などの絵柄であることを特徴とする請求項１記載の剥離性シート。
【発明の詳細な説明】
【技術分野】
【０００１】
本発明は、２片以上のシート状基材を、少なくとも一部領域が剥離可能となるように積層して一体化しておき、必要な時期に、剥離可能な領域を剥がすことができる構成とした剥離性シートに関する。なお、本明細書において、２片以上のシート状基材とは、積層された部分が２片以上あることを意味するものであり、別個の２枚以上のシート状基材を積層した場合に限らず、１枚のシート状基材を折り重ねて積層した場合も含むものである。
【背景技術】
【０００２】
従来より、紙などのシート状基材の表面に、例えば、特殊な感圧接着剤を全面に塗布しておき、印刷絵柄や印字を設けてから、二つ折り或いは三つ折りして重ね合わせ、強い圧力で擬似接着させることで印字内容を隠蔽し、この状態のまま郵送して受取人側で開封して印字内容を確認するようにした、「親展はがき」が広く使用されている。この親展はがきに使用するような剥離性シートでは、折り重ねたシート状基材同志を特殊な感圧接着剤などを利用した擬似接着構造で擬似接着しているが、あまり剥がし易く設計すると、意図しないタイミングで剥がれてしまって全く実用に耐えない。そこで、一般的にはや強めの接着力で設計しておくことが重要である。
【０００３】
しかしながら、接着力を高めることは、すなわち剥がれにくいことであり、剥がれにくいものを剥がそうとすれば、その抵抗力（接着力）を超えた力で剥がすことになるため、結局は、シート状基材の剥離中の領域に応力が集中し、剥離した後のシート状基材には大きなカールを発現してしまう。剥がした後のシート状基材に大きいカールが残ると、保管しにくくなるという問題を生じる。このように、実用的な接着力を有しつつ、剥離してからはカールが少なくなるような構成は、本来的には実現困難であり、現在ではカールが大きくなることについては仕方ないものと受け止められている。
【発明の開示】
【発明が解決しようとする課題】
【０００４】
本発明はかかる状況に鑑みてなされたもので、実用的な接着力を有しつつ、剥離したシート状基材のカールを小さくすることを解決すべき課題とする。
【課題を解決するための手段】
【０００５】
本発明者らはこの課題を解決すべく鋭意検討の結果、剥離したシート状基材に生じるカールの大きさは、剥離するシート状基材の剥離方向と当該シート状基材の抄紙方向とに依存していることを突き止めた。すなわち、従来の「親展はがき」は、連続した用紙（シート状基材）を長手方向に走行させ、その長手方向に折り目が形成されるように折り畳んで接着しているため、図５（ａ）に示すように、親展はがき１の折り目２は用紙の長手方向となっており、従って用紙を抄紙して製造する際の抄紙方向となっている。この親展はがき１を剥がす際には図５（ｂ）に示すように、重ねて接合した基材片１ａ、１ｂを折り目２の反対側の辺から折り目２に向かって剥がしてゆくため、剥離方向はほぼ抄紙方向に対して直角方向となっており、この方向に剥がすと大きいカールが生じてしまう。これに対し、折り目２を切り離し、基材片１ａ、１ｂを抄紙方向に沿って剥がすと、カールがきわめて小さくなることを突き止めた。この理由は、基材の抄紙方向が基材中の繊維の配向方向に影響しており、その配向方向と剥離方向とがカール発生に大きく影響しているためと思われる。
【０００６】
本発明はかかる知見に基づいてなされたもので、２片以上のシート状基材を、少なくとも一部領域が剥離可能となるように積層してなる剥離性シートにおいて、前記基材の剥離可能な領域を、その基材の抄紙方向に沿って剥がすように誘導する手段を設けるという構成としたものである。
【０００７】
ここで、前記誘導する手段として、前記剥離可能な領域の端部に形成した剥離のきっかけを用いることができる。また、前記誘導する手段として、前記基材を抄紙方向に剥がすように誘導する誘導文、あるいは矢印に類する記号、剥離方法を示す図などの絵柄を用いることもできる。これらは、それぞれ単独で用いても良いし、併用してもよい。
【発明の効果】
【０００８】
本発明の剥離性シートは、シート状基材の剥離可能な領域を剥がす際に、その領域を基材の抄紙方向に沿って剥がすこととなるので、剥がした後のシート状基材に生じるカールが小さく、このため剥がした後の基材を保管しやすいとか、カール発生に伴う他の問題を低減できる。
【発明を実施するための最良の形態】
【０００９】
本発明の剥離性シートは、２片以上のシート状基材が、少なくとも一部が剥離可能な状態で積層されてなるものであれば、構造、用途等は任意であり、代表的な例としては、１枚の上質紙などの用紙からなるシート状基材を二つ折り、三つ折りなどして重ね合わせ、擬似接着した構造の、いわゆる「親展はがき」や、シート状基材に、配達票（判取り片）となる領域を備えた他のシート状基材を、配達票となる領域が剥離可能となるように接着した構造の、いわゆる１パート式の配送伝票などを挙げることができる。以下、図面を参照して更に詳細に説明する。
【００１０】
図１は本発明を親展はがきに適用した実施形態に係る剥離性シート１１の概略斜視図である。剥離性シート１１は、抄紙された用紙、例えば上質紙からなるシート状基材に、擬似接着構造を構成する特殊な感圧接着剤を施し、且つ必要な画像、印字を施した後、所定サイズに切断し、二つ折りして重ね、擬似接着させたものであり、折り目１２と互いに接合した基材片１１ａ、１１ｂを備えている。ここで、折り目１２は基材片１１ａ、１１ｂの抄紙方向に直角となるように選定されている。このため、基材片１１ａ、１１ｂを折り目１２に向かって剥がすことにより、基材片１１ａ、１１ｂをその抄紙方向に沿って剥がすことができる。基材片１１ｂの先端（折り目１２とは反対側の端部）の角部には、剥離のきっかけを形成する切欠き１３が形成されている。なお、切欠き１３を設ける代わりに、基材片１１ａ、１１ｂの角部を非接着として剥離のきっかけとしてもよい。切欠き１３の近傍には、剥がす方向を示す矢印１４及び「矢印の方向に開けて下さい」との説明文１５が印字又は印刷されており、使用者に対して基材片１１ａ、１１ｂを折り目１２に向かって剥がすように誘導している。この構成により、使用者が剥離性シート１１を開封する際には、基材片１１ｂを切欠き１３を設けた位置から折り目１２に向かって剥がすこととなり、このため、基材片１１ａ、１１ｂは抄紙方向に沿って剥がされる。これによって剥がした後の基材片１１ａ、１１ｂには大きいカールが発生せず、このため、開封後の剥離性シート１１を支障なく重ねて保管することができる。
【００１１】
図２は本発明を１パート式の配送伝票に適用した実施形態に係る剥離性シート２１の概略斜視図である。この実施形態における剥離性シート２１は、２枚のシート状基材２２、２３を重ねて貼り合わせて一体化したものであり、上側に位置するシート状基材２２の一部の領域２２ａは下側のシート状基材２３に対して擬似接着構造を介して剥離可能となっており且つその領域２２ａを取り囲んでスリット２４が形成されている。この領域２２ａは、剥がした後配達票（判取り片）として取り扱われるものであり、以下、基材片という。基材片２２ａを含むシート状基材２２は、抄紙された用紙で作られており、その抄紙方向は図面において左右方向となるように定められている。更に、基材片２２ａを剥がす時に、その抄紙方向に剥がすように誘導するため、基材片２２ａの左端の少なくとも一部（例えば角部）には、剥がしやすくするために非接着とした剥離のきっかけが形成されている。また、基材片２２ａの左端の角部近傍に、剥がす方向を示す矢印２５及び「矢印の方向に剥がして下さい」との説明文２６が印字又は印刷されている。この剥離性シート２１（１パート式配送伝票）は、その表面の必要箇所（配達票、貼付票など）に小型プリンターで所望の情報が印字された後、荷物に貼り付けられ、配達の際に配達員が、基材片（配達票）２２ａを剥がし、それに受取印をもらって持ち帰り、保管するとか、情報をスキャナーで読み取るというように使用される。ここで、基材片（配達票）２２ａを剥がす際には、基材片２２ａの左端に設けている剥離のきっかけから、矢印２５や説明文２６の誘導に従って、基材片２２ａを左端から右端に向かって剥がすこととなり、このため、基材片２２ａは抄紙方向に沿って剥がされる。これによって剥がした後の基材片２２ａには大きいカールが発生せず、このため、剥がした基材片２２ａをスキャナーに通して読み取る際にカールによってトラブルを生じるということがなく、また容易に重ねて保管することもできる。
【実施例】
【００１２】
図３において、上質紙３１（坪量８１．４ｇ／ｍ2 ）を用意し、その全面に擬似接着構造用の特殊感圧接着剤を塗布した後、同一サイズ（長さＬ＝２００ｍｍ、幅Ｗ＝１５０ｍｍ）のサンプルＡ、サンプルＢを、サンプルＡは中心線３２が抄紙方向に直角となるように、サンプルＢは中心線３３が抄紙方向に直角となるように、切り出し、それぞれの中心線３２、３３を折り目として二つ折りした１００ｍｍ幅の状態で、それぞれ同一条件で加圧して、図３、図４に示す剥離性シート３４（サンプルＡ）、３５（サンプルＢ）を得た。剥離性シート３４（サンプルＡ）は本発明の実施例となるものであり、剥離性シート３５（サンプルＢ）は比較例である。これらの剥離性シート３４、３５をそれぞれ、Ｔ型剥離法によって、剥離速度０．３ｍ／ｍｉｎ及び３０ｍ／ｍｉｎで剥離した。剥離方向は、折り目とは反対側の辺から折り目に向かう方向とした。剥離後の各剥離性シート３４、３５を折り目が垂直となるように、机の上に立て、それを上から観察して図４に示す平面図を得た。また、各剥離性シートについてカールの大きさ（図面の距離ｄ）を測定して表１に示す結果を得た。
【００１３】
【表１】
2005169790.tif 000003
【００１４】
これらの結果から明らかなように、０．３ｍ／ｍｉｎの通常剥離でも、一般的な人が実際に開封する際の速度と推察される３０ｍ／ｍｉｎの高速剥離であっても、サンプルＡの方がサンプルＢよりも、すなわち、抄紙方向（＝用紙繊維の配向方向）に沿った方向に剥離する方が直角方向に剥離するよりも、カールが小さくなっていた。特に、剥離速度が速い方がカールは小さくなる傾向が顕著であり、実用上はきわめて有効である。
【００１５】
以上に上質紙を用いた実施例を説明したが、本発明の剥離性シートに用いるシート状基材としては、上質紙に限らず、抄紙により製造したものであれば、他の紙或いは合成紙でもよい。なお、剥離性シートの基材として合成樹脂シートを用いることも可能であり、その場合には、その合成樹脂シートの配向方向に沿って剥離させる構成とすることで、用紙ほどの顕著な効果は発揮できないが、カール防止に効果がある。
【図面の簡単な説明】
【００１６】
【図１】本発明の実施形態に係る剥離性シートの概略斜視図
【図２】本発明の他の実施形態に係る剥離性シートの概略斜視図
【図３】（ａ）は実施例に用いた上質紙及びそれから切り出すサンプルＡ、Ｂを示す概略平面図、（ｂ）、（ｃ）はサンプルＡ、Ｂで作った剥離性シートの概略平面図
【図４】剥離テストで剥がした後の剥離性シートを示す概略平面図
【図５】（ａ）は従来の剥離性シートの概略斜視図、（ｂ）はその剥離性シートを剥がす途中の状態で示す概略斜視図
【符号の説明】
【００１７】
１１、２１、３４、３５  剥離性シート
１１ａ、１１ｂ、２２ａ  基材片
１２  折り目
１３  切欠き（剥離のきっかけ）
１４、２５  矢印
１５、２６  説明文
３１  上質紙
３２、３３  中心線
【図１】
2005169790.tif 000004
【図２】
2005169790.tif 000005
【図３】
2005169790.tif 000006
【図４】
2005169790.tif 000007
【図５】
2005169790.tif 000008